(57)【要約】【課題】  天板を脚体で支持したテーブルやデスクにおいて、脚体を天板の縁部から離れた位置に設けて着座者の足と干渉しないようにするにも係わらず、脚体による天板の支持強度が高く、また組み立てが容易で、コスト低減化を図ることが可能な脚体と天板ブラケットの連結構造を提供する。【解決手段】  天板を脚体２で支持したテーブルやデスクにおける脚体と天板ブラケット３の連結構造であって、脚体は、天板の下面に沿う脚横桟４の両端部に脚縦支柱５，５の上端部を嵌合して構成し、天板の下面に取付ける天板ブラケットを脚横桟と脚縦支柱の接合部９を跨いで両部材にネジ止めして連結状態とした。脚横桟は四角筒状の部材であり、端部が嵌合凹部１０となっており、脚縦支柱は上端部にエルボー部１５を設け、エルボー部に嵌合凸部１１を設けてなる。【選択図】        図２
2019063254.tif 000002
【特許請求の範囲】
【請求項１】
天板を脚体で支持したテーブルやデスクにおける脚体と天板ブラケットの連結構造であって、前記脚体は、前記天板の下面に沿う脚横桟の両端部に脚縦支柱の上端部を嵌合して構成し、前記天板の下面に取付ける天板ブラケットを前記脚横桟と脚縦支柱の接合部を跨いで両部材にネジ止めして連結状態としたことを特徴とする脚体と天板ブラケットの連結構造。
【請求項２】
前記脚体の脚横桟は少なくとも両端部の筒状の嵌合凹部を有し、前記脚縦支柱は上端部に水平方向を向いた嵌合凸部を有し、前記脚横桟の嵌合凹部に前記脚縦支柱の嵌合凸部を嵌入した状態で、前記天板ブラケットは、前記脚横桟の端部に前記嵌合凸部に形成した螺孔を用いてネジ止めするとともに、前記脚縦支柱の上端部に形成した螺孔を用いてネジ止めしてなる連結構造とした請求項１記載の脚体と天板ブラケットの連結構造。
【請求項３】
前記脚横桟は四角筒状の部材であり、端部が嵌合凹部となっており、前記脚縦支柱は上端部にエルボー部を設け、該エルボー部に前記嵌合凸部を設けてなる請求項２記載の脚体と天板ブラケットの連結構造。
【請求項４】
前記脚横桟は四角筒状の部材であり、端部が嵌合凹部となっており、前記脚縦支柱は、縦方向の脚杆の上端にコーナー脚部材を連結し、該コーナー脚部材に前記嵌合凸部を設けている請求項２記載の脚体と天板ブラケットの連結構造。
【請求項５】
前記天板ブラケットは、天板の下面に取付ける受板の下面で一側端からやや中央寄り位置に垂直部を設け、該垂直部から外側の受板の一部を水平部とし、前記脚体の脚横桟の側面に前記垂直部がネジ止め可能であるとともに、少なくとも前記脚縦支柱の上端部の上面に前記水平部がネジ止め可能である請求項１〜４何れか１項に記載の脚体と天板ブラケットの連結構造。
【請求項６】
前記天板ブラケットは、前記受板の一部をビームの端部を連結するビーム連結部としてなる請求項５記載の脚体と天板ブラケットの連結構造。
【発明の詳細な説明】
【技術分野】
【０００１】
本発明は、脚体と天板ブラケットの連結構造に係わり、更に詳しくは天板を脚体で支持したテーブルやデスクにおける脚体と天板ブラケットの連結構造に関するものである。
【背景技術】
【０００２】
従来から天板を脚部で支持した構造のテーブルやデスクは各種提供され、天板を側方へ連設して横幅を長く構成する構造のものも公知である。
【０００３】
特許文献１には、端部脚体の上端にＴ字形金具を取付けて、両側の端部脚体のＴ字形金具同士をビームで連結し、その上部に天板を載置してＴ字形金具やビームを天板下面にネジ止めする構造が記載されている。そして、複数の天板を側方へ連設するには、端部脚体の代わりに中間脚体を用い、その上端に十字形金具を取付け、端部脚体のＴ字形金具と中間脚体の十字形金具、あるいは中間脚体の十字形金具同士をビームで連結し、前記中間脚体の中心線に両天板の接合部を合わせて載置し、前記同様に十字形金具とビームにネジ止めする構造が開示されている。
【０００４】
また、特許文献２には、端部脚と中間脚との間、中間脚同士の間を脚間モジュールで連結し、前記中間脚の中心線に両天板の接合部を合わせて載置し、端部脚と中間脚の上端に側設した取付片に天板をネジ止めする構造が記載されている。
【０００５】
これら特許文献１、２に記載のデスクあるいはテーブルは、端部脚体が天板の端部に設けられ、端部側に着席することは想定されてない。脚体は天板の縁部からなるべく中央寄りに設けることが、着座者の足と干渉しないので望ましいが、天板を支持するという観点からは可能な限り天板の縁部を脚体で支持することが望ましい。特許文献１、２に記載の脚体は、天板を支持する部位が天板の奥行幅と同程度の長さを有している。
【０００６】
特許文献３には、被連結部が形成された略垂直棒状の中間支脚、並びに、該中間支脚の上部から上外方へ延び、上端に天板を受けるブラケットが取り付けられる棒状の上支脚、及び、該中間支脚の下部から下外方へ延び、下端が直接又はアジャスター若しくはキャスター等を介して接地する棒状の下支脚を一体形成してなる少なくとも３本の支脚と、該支脚の被連結部間を連結する連結体とを備えてなるテーブル用脚装置が記載されている。また、前記ブラケットにビーム連結部を設け、該ビーム連結部間をブラケット間連結ビームで連結し、該ビームで天板下面に固定する構造も記載されている。しかし、特許文献３に記載の構造は、二つの支脚を連結して支脚対（脚体）を構成し、更に支脚対を支脚対間連結ビームで連結する構造であるので、組み合わせ態様の自由度はあるが、支脚の構造が複雑なのでコスト高となり、また組み立てに手間を要し、更に支脚対間連結ビームが足入れ空間に位置しているという制約がある。
【先行技術文献】
【特許文献】
【０００７】
【特許文献１】特開２００７−１４４０１５号公報
【特許文献２】特開２００７−１５１８２４号公報
【特許文献３】特開２００６−１２２５２６号公報
【発明の概要】
【発明が解決しようとする課題】
【０００８】
そこで、本発明が前述の状況に鑑み、解決しようとするところは、天板を脚体で支持したテーブルやデスクにおいて、脚体を天板の縁部から離れた位置に設けて着座者の足と干渉しないようにするにも係わらず、脚体による天板の支持強度が高く、また組み立てが容易で、コスト低減化を図ることが可能な脚体と天板ブラケットの連結構造を提供する点にある。
【課題を解決するための手段】
【０００９】
本発明は、前述の課題解決のために、以下に構成する脚体と天板ブラケットの連結構造を提供する。
【００１０】
（１）
天板を脚体で支持したテーブルやデスクにおける脚体と天板ブラケットの連結構造であって、前記脚体は、前記天板の下面に沿う脚横桟の両端部に脚縦支柱の上端部を嵌合して構成し、前記天板の下面に取付ける天板ブラケットを前記脚横桟と脚縦支柱の接合部を跨いで両部材にネジ止めして連結状態としたことを特徴とする脚体と天板ブラケットの連結構造。
【００１１】
（２）
前記脚体の脚横桟は少なくとも両端部の筒状の嵌合凹部を有し、前記脚縦支柱は上端部に水平方向を向いた嵌合凸部を有し、前記脚横桟の嵌合凹部に前記脚縦支柱の嵌合凸部を嵌入した状態で、前記天板ブラケットは、前記脚横桟の端部に前記嵌合凸部に形成した螺孔を用いてネジ止めするとともに、前記脚縦支柱の上端部に形成した螺孔を用いてネジ止めしてなる連結構造とした（１）記載の脚体と天板ブラケットの連結構造。
【００１２】
（３）
前記脚横桟は四角筒状の部材であり、端部が嵌合凹部となっており、前記脚縦支柱は上端部にエルボー部を設け、該エルボー部に前記嵌合凸部を設けてなる（２）記載の脚体と天板ブラケットの連結構造。
【００１３】
（４）
前記脚横桟は四角筒状の部材であり、端部が嵌合凹部となっており、前記脚縦支柱は、縦方向の脚杆の上端にコーナー脚部材を連結し、該コーナー脚部材に前記嵌合凸部を設けている（２）記載の脚体と天板ブラケットの連結構造。
【００１４】
（５）
前記天板ブラケットは、天板の下面に取付ける受板の下面で一側端からやや中央寄り位置に垂直部を設け、該垂直部から外側の受板の一部を水平部とし、前記脚体の脚横桟の側面に前記垂直部がネジ止め可能であるとともに、少なくとも前記脚縦支柱の上端部の上面に前記水平部がネジ止め可能である（１）〜（４）何れか１に記載の脚体と天板ブラケットの連結構造。
【００１５】
（６）
前記天板ブラケットは、前記受板の一部をビームの端部を連結するビーム連結部としてなる（５）記載の脚体と天板ブラケットの連結構造。
【発明の効果】
【００１６】
以上にしてなる本発明の脚体と天板ブラケットの連結構造は、以下に示す効果を奏する。
【００１７】
（１）の構成によれば、天板ブラケットで脚体を構成する脚縦支柱と脚横桟を連結することができるので、部品点数が少なくなり、組み立ても容易になり、また天板ブラケットを脚横桟の端部よりも外側に取付けることができるので、脚体を天板の縁部から離れた位置に設けて着座者の足と干渉しないようにできるにも係わらず、天板の縁部により近い位置で支持することになり、脚横桟のみに天板ブラケットを取付けていたものより脚体による天板の支持強度が高くなる。
【００１８】
（２）の構成によれば、脚縦支柱と脚横桟の連結強度が高いものとなる。また、連結用の螺孔は脚横桟に隠れる嵌合凸部と目立たない脚縦支柱の上端部にのみ形成すれば良く、それにより脚縦支柱の上端部の側面には螺孔を形成する必要がないので、脚縦支柱を左右対称に作製しても外側面に螺孔が露出せず、外観性の向上が図れるともに、前後左右の脚縦支柱を共用でき、大幅なコスト低減化を図ることができる。
【００１９】
（３）の構成によれば、脚縦支柱と脚横桟の構造が比較的単純になり、低コストで製造することができ、また脚縦支柱と脚横桟の連結強度も高いものとなる。
【００２０】
（４）の構成によれば、脚杆を種々の素材で作製することができ、例えば木製にすることができ、脚杆の上端にコーナー脚部材を連結することで脚縦支柱を構成することができ、その他の構成は共通にできる。
【００２１】
（５）の構成によれば、垂直部と水平部を用いて脚体の脚横桟と脚縦支柱の上端部、具体的にはエルボー部又はコーナー脚部材にネジ止め連結することができ、連結強度が高くなる。特に、天板ブラケットの水平部を脚縦支柱の上端部の上面と脚横桟の上面にそれぞれネジ止めし、垂直部を脚横桟の側面にネジ止めすることにより、脚縦支柱と脚横桟とを強固に連結することできる。
【００２２】
（６）の構成によれば、天板ブラケット間にビームを連結して、該ビームで天板の下面を支持することができるので、天板の横幅が広く、脚体間の間隔が広い場合でも天板を安定に支持することができる。
【図面の簡単な説明】
【００２３】
【図１】本発明を適用したテーブルの第１実施形態を示す斜視図である。
【図２】同じく脚体と支持ブラケットの連結状態を示す斜視図である。
【図３】同じく脚体と支持ブラケットの分解斜視図である。
【図４】支持ブラケットを示し、（ａ）は上からの斜視図、（ｂ）は下からの斜視図である。
【図５】中間に配置する脚体と支持ブラケットの連結状態を示す斜視図である。
【図６】第１実施形態の変形例を示す連結仕様のテーブルの斜視図である。
【図７】本発明を適用したテーブルの第２実施形態を示す斜視図である。
【図８】同じく下からの斜視図である。
【図９】同じく脚体とビームブラケットの連結状態を示す斜視図である。
【図１０】同じく脚体とビームブラケットの分解斜視図である。
【図１１】ビームブラケットを示し、（ａ）は上からの斜視図、（ｂ）は下からの斜視図である。
【図１２】本発明を適用したテーブルの第３実施形態を示す斜視図である。
【図１３】同じく一部省略したテーブルの斜視図である。
【図１４】同じく脚体と支持ブラケットの連結状態を示す斜視図である。
【図１５】同じく脚体と支持ブラケットの分解斜視図である。
【図１６】連結ブラケットの斜視図である。
【発明を実施するための形態】
【００２４】
次に、添付図面に示した実施形態に基づき、本発明を更に詳細に説明する図１は、第１実施形態のテーブルＡを示し、図２〜図４は第１実施形態の要部を示し、図７は第２実施形態のテーブルＢを示し、図８〜図１１は第２実施形態の要部を示し、図１２及び図１３は第３実施形態のテーブルＣを示し、図１４〜図１６は第３実施形態の要部を示し、図中符号１は天板、２は脚体、３は天板ブラケット、４は脚横桟、５は脚縦支柱をそれぞれ示している。また、天板ブラケット３の各種態様として、符号６は支持ブラケット、７はビームブラケット、８は連結ブラケットをそれぞれ示している。
【００２５】
本発明は、天板１を脚体２で支持したテーブルやデスクにおける脚体と天板ブラケットの連結構造であって、前記脚体２は、前記天板１の下面に沿う脚横桟４の両端部に脚縦支柱５，５の上端部を嵌合して構成し、前記天板１の下面に取付ける天板ブラケット３を前記脚横桟４と脚縦支柱５の接合部９を跨いで両部材にネジ止めして連結状態としたことを特徴とする。本実施形態では、本発明をテーブルに適用した例で説明するが、デスクであても良く、またその他の天板を脚体で支持する家具や什器であっても構わない。
【００２６】
先ず、図１〜図４に基づいて第１実施形態のテーブルＡを説明する。前記脚体２の脚横桟４は少なくとも両端部の筒状の嵌合凹部１０を有し、前記脚縦支柱５は上端部に水平方向を向いた嵌合凸部１１を有し、前記脚横桟４の嵌合凹部１０に前記脚縦支柱５の嵌合凸部１１を嵌入した状態で、前記天板ブラケット３は、前記脚横桟４の端部に前記嵌合凸部１１に形成した螺孔を用いてネジ止めするとともに、前記脚縦支柱５の上端部に形成した螺孔を用いてネジ止めしてなる連結構造とした。本実施形態では、前記天板ブラケット３として支持ブラケット６を用いて天板１と脚体２を連結する。
【００２７】
具体的には、前記脚縦支柱５の嵌合凸部１１の両側面に螺孔１２を形成するとともに、嵌合凸部１１の上面の先端部に螺孔１３，１３を並設し、更に前記脚縦支柱５の上端部の上面に螺孔１４，１４を並設している。ここで、前記脚横桟４は四角筒状の部材であり、端部が嵌合凹部１０，１０となっており、前記脚縦支柱５は、アルミダイカスト製で上端部にエルボー部１５を設け、該エルボー部１５に前記嵌合凸部１１を設けている。つまり、前記螺孔１４，１４は、前記エルボー部１５の上面に形成している。前記脚横桟４には、前記螺孔１２に対応する側面位置に通孔１６、前記螺孔１３，１３に対応する上面位置に通孔１７，１７をそれぞれ形成している。
【００２８】
前記脚縦支柱５に形成する螺孔は、前記脚横桟４に隠れる嵌合凸部１１と目立たない上端部にのみ形成すれば良く、それにより脚縦支柱５の上端部の側面には螺孔を形成する必要がないので、脚縦支柱５を左右対称に作製しても外側面に螺孔が露出しない。つまり、同一の脚縦支柱５を前後左右共通で使用できる。また、前記脚横桟４は、両端部は対称形であるので、前記通孔１６を片面のみ形成したものと、両面に形成したものの２種類用意すれば、外側面に使用しない通孔１６が露出することはない。そして、前記脚横桟４を２種類用意しても、筒状部材であり、穴あけ加工だけであるので、大きなコスト高にならない。
【００２９】
前記支持ブラケット６は、天板１の下面に取付ける受板１８の下面で一側端からやや中央寄り位置に垂直部１９を設け、該垂直部１９から外側の受板１８の一部を水平部２０とし、前記脚体２の脚横桟４の側面に前記垂直部１９がネジ止め可能であるとともに、前記脚縦支柱５の上端部の上面と前記脚横桟４の上面とに前記水平部２０がネジ止め可能である。
【００３０】
具体的には、前記支持ブラケット６は、図４に示すように、合成樹脂製好ましくは強度の点でアルミダイカスト製の成形品とし、前記天板１の下面に当接する平面視略四角形の受板１８の下面に正面視三角形状の突出部２１の切り立った側面を前記垂直部１９としている。そして、前記垂直部１９には連結孔２２を形成し、前記水平部２０の両側部にも連結孔２３，２３を形成するとともに、両連結孔２３，２３の中間に下方へ突出したダボ２４を形成し、そして前記受板１８で前記水平部２０とは異なる位置に複数の通孔２５，…を形成している。尚、前記水平部２０の横幅（左右方向の幅）は、前記脚体２の上部の厚み、つまり前記脚横桟４の上面の幅の１／２以下とする。
【００３１】
そして、図２及び図３に示すように、前記脚横桟４の両嵌合凹部１０，１０にそれぞれ前記脚縦支柱５の嵌合凸部１１を嵌入した状態で、前記支持ブラケット６を脚横桟４と脚縦支柱５の接合部９を跨ぐように前記垂直部１９を側面に前記水平部２０を上面に当接し、前記垂直部１９の連結孔２２を通したネジ２６を前記脚横桟４の通孔１６から前記脚縦支柱５の嵌合凸部１１の螺孔１２に螺合するとともに、前記水平部２０の連結孔２３，２３を通したネジ２７，２７の一方を前記脚横桟４の通孔１７，１７から前記脚縦支柱５の嵌合凸部１１の螺孔１３に螺合し、他方を前記脚縦支柱５の螺孔１４に直接螺合する。ここで、前記脚横桟４の上面端部と前記脚縦支柱５の嵌合凸部１１の上面基部にそれぞれ係合孔２８，２９を形成し、前記支持ブラケット６のダボ２４を係合するようになっている。これにより、更にガタツキのない強固な連結状態となる。
【００３２】
最後に、前記脚体２に両支持ブラケット６，６を連結した状態で、各支持ブラケット６の受板１８を前記天板１の下面に接合し、該受板１８の通孔２５，…に通した図示しないネジで天板１の下面に螺合する。尚、単独仕様のテーブルＡの場合、側方に面する側には、使用しない前記通孔１６は設けない方が外観的に優れている。
【００３３】
図５は、前記脚体２の両側にそれぞれ二つずつ支持ブラケット６を連結した態様を示し、勿論このまま図１に示すような独立仕様のテーブルＡの天板１の下面に取付けることができるが、この場合は主に隣接する二つの天板１，１の接合部に跨るように配置し、それぞれの側の支持ブラケット６，６を対応する天板１の下面に取付けて両天板１，１を連結するとともに、支持する。
【００３４】
また、図６に示したテーブルＡ１は、第１実施形態の変形例であり、奥行幅が広く、対面使いの態様である。この場合、前記脚体２の脚横桟４は前述のものより長尺のものを用いる。このように、前記脚横桟４の長さを天板１の奥行幅に応じて変更するだけで、他の構成を共通にすることができる。尚、この変形例では、二つの天板１，１の接合部には、専用の中間脚３０を用いている。前後の天板１，１間には配線ダクト３１を設けている。尚、長尺の前記脚横桟４の途中に他の部材を連結する場合には、対応する位置に孔を形成し、その内部に螺孔を設けたブロックを挿入する。
【００３５】
次に、図７〜図１１に基づいて第２実施形態のテーブルＢを説明する。本実施形態のテーブルＢは、前述のテーブルＡと基本的には同じであるが、特に天板１の撓みを抑えて支持強度を高めたものである。本実施形態では、前記天板ブラケット３として支持ブラケット６とビームブラケット７を用いて天板１と脚体２を連結する。つまり、前記脚体２に二つの支持ブラケット６，６を連結する代わりに、一つの支持ブラケット６と一つのビームブラケット７を連結し、間隔を経たてた脚体２，２のビームブラケット７，７間にビーム３２を連結し、該ビーム３２でも天板１の下面を支持するのである。
【００３６】
前記ビームブラケット７は、図１１に示すように、前記支持ブラケット６と同様に、合成樹脂製好ましくは強度の点でアルミダイカスト製の成形品とし、受板３３の下面側に垂直部３４と水平部３５を設け、前記垂直部３４の背後に側方へ延びたビーム連結部３６を設け、前記垂直部３４には、前記連結孔２２と同じ機能を有するＵ字溝３７を形成し、前記水平部３５には、前記連結孔２３，２３及びダボ２４と同じ機能を有する連結孔３８，３８及びダボ３９を形成し、前記受板３３として前記水平部３５から延設した部分に、前記通孔２５と同じ機能を有する通孔４０，４０を形成し、更に前記ビーム連結部３６には上下方向に下穴４１，４１を設けている。前記ビームブラケット７の前記支持ブラケット６と異なる点は、前記受板の一部をビーム３２の端部を連結するビーム連結部３６とした点であり、その他は基本的に同じである。
【００３７】
前記ビーム３２は、四角パイプ状の部材であり、両端部の前記下穴４１，４１に対応する位置に取付孔４２，４２を形成している。
【００３８】
前記脚体２への支持ブラケット６とビームブラケット７の連結の仕方は前記同様である。このように、前記脚体２にそれぞれ支持ブラケット６とビームブラケット７を連結した状態で、両側の脚体２，２のビームブラケット７，７のビーム連結部３６，３６に、前記ビーム３２の両端部を外嵌し、前記ビーム３２の取付孔４２，４２に通したネジ４３を前記ビーム連結部３６の下穴４１に螺合する。この場合、前記下穴４１は螺孔であっても良い。
【００３９】
次に、図１２〜図１６に基づいて第３実施形態のテーブルＣを説明する。本実施形態では、前記天板ブラケット３として支持ブラケット６を用いて天板１と脚体２を連結するとともに、新たに連結ブラケット８を用いて連結する。前記連結ブラケット８は、隣接する天板１，１間を連結する場合にも用いることができる。
【００４０】
本実施形態では、前記脚横桟４は四角筒状の部材であり、端部が嵌合凹部１０となって点は前述と同様であるが、前記脚縦支柱５は、縦方向の脚杆４４の上端にコーナー脚部材４５を連結し、該コーナー脚部材４５に前記嵌合凸部１１を設けている。前記脚杆４４は、本実施形態では木製であり、上端にブロック状の嵌合部４６を形成し、前記コーナー脚部材４５に形成したキャップ部４７を外嵌し、上方から木ネジ４７Ａ，４７Ａで嵌合部４６に固定している。そして、前記コーナー脚部材４５の嵌合凸部１１の両側面に螺孔１２を形成するとともに、嵌合凸部１１の上面の先端部に螺孔１３，１３を並設し、更に前記脚縦支柱５の上端部の上面に螺孔１４，１４を並設している。また、前記嵌合凸部１１の上面の基部には前記係合孔２９を形成している。ここで、本実施形態の脚横桟４は前述のものと共通である。また、前記脚杆４４の上端にコーナー脚部材４５を連結した状態では、前記エルボー部１５がコーナー脚部材４５に対応している。
【００４１】
本実施形態のテーブルＣは、独立仕様の場合は、図１２及び図１３に示すように、天板１の両側部の下面を脚体、２，２で支持した構造であり、前記脚体２は天板１の短辺側の側縁から内方（中央寄り）へ後退位置に設けられ、該側縁に着席しても前記脚体２が邪魔にならないようになっている。
【００４２】
前記天板１の下面には、平面視四角形の脚フレーム４８が予め固定されている。前記脚フレーム４８は、前記天板１の側縁の平行な短辺側フレーム４９，４９の両端部間にそれぞれ長辺側フレーム５０，５０を連結して構成し、該脚フレーム４８を前記天板１の下面に固定している。
【００４３】
そして、前記脚体２の上端部の内側に前記支持ブラケット６，６を連結するとともに、外側に連結ブラケット８の基端を連結した状態で、該連結ブラケット８の先端を前記脚フレーム４８の短辺側フレーム４９の内側面に連結し、前記支持ブラケット６，６と連結ブラケット８を天板１の下面にネジ止めする。
【００４４】
具体的には、前記連結ブラケット８は、図１６に示すように、基板５１の基端に前記脚体２の脚横桟４の側面に当接する固定板５２を立ち上げ形成するとともに、該固定板５２の上縁に外向きに水平な支持板５３を折曲形成し、また前記基板５１の先端に前記短辺側フレーム４９の側面に当接する連結板５４を立ち上げ形成し、前記固定板５２の両側にダルマ孔５５，５５を形成するとともに、前記支持板５３の両側部に取付孔５６，５６を形成し、更に前記連結板５４の両側部も連結孔５７，５７を形成している。また、前記連結ブラケット８の基板５１の両側端には側板５８，５８を立ち上げ形成し、該側板５８の上縁に前記天板１の下面に当接する取付板５９を外向きに折曲形成し、該取付板５９の両側部には通孔６０，６０を形成している。前記固定板５２と連結板５４及び両側板５８，５８とで上方開放した箱型構造を構成し、各接合部を溶接すれば更に強度が向上する。ここで、前記支持板５３の横幅（左右方向の幅）は、前記脚体２の脚横桟４の上面の幅の１／２以下とする。
【００４５】
そして、前記脚体２の脚横桟４の外側面に前記連結ブラケット８の固定板５２を当接するとともに、前記脚横桟４の上面に前記連結ブラケット８の支持板５３を当接した状態で、ダルマ孔５５，５５及び通孔１６を利用して固定板５２を脚横桟４の外側面にネジ止めするとともに、取付孔５６，５６を利用して支持板５３を脚横桟４の上面にネジ止めする。
【００４６】
それから、前記連結ブラケット８の先端を前記短辺側フレーム４９の内側面に連結するが、それには前記連結ブラケット８の連結板５４を前記短辺側フレーム４９の内側面に当接した状態で、連結孔５７，５７を利用して前記連結板５４を前記短辺側フレーム４９にネジ止めする。最後に、前記支持ブラケット６の受板１８と前記連結ブラケット８の取付板５９とを前記天板１の下面に当接した状態で、前記受板１８の通孔２５，…と前記取付板５９の通孔６０，６０を利用して天板１にネジ止めする。尚、前記天板１の下面には、前記支持ブラケット６と連結ブラケット８とを前記脚横桟４の上面に取付けるためのネジの頭部を逃がすための凹部を予め形成してある。
【００４７】
また、本実施形態のテーブルＣは、前記天板１の両側部で奥行方向の中央部にダクト開口部６１を設け、該ダクト開口部６１には開閉可能にカバー６２，６２を備え、更に天板１の下面側に固定した吊支部材６３，６３によってコード受け６４を天板１の下面から間隔を置いて設けている。
【符号の説明】
【００４８】
Ａ  テーブル、
Ａ１  テーブル、
Ｂ  テーブル、
Ｃ  テーブル、
１  天板、                ２  脚体
３  天板ブラケット、      ４  脚横桟、
５  脚縦支柱、            ６  支持ブラケット（天板ブラケット）、
７  ビームブラケット（天板ブラケット）、  ８  連結ブラケット、
９  接合部、              １０  嵌合凹部、
１１  嵌合凸部、          １２  螺孔、
１３  螺孔、              １４  螺孔、
１５  エルボー部、        １６  通孔、
１７  通孔、              １８  受板、
１９  垂直部、            ２０  水平部、
２１  突出部、            ２２  連結孔、
２３  連結孔、            ２４  ダボ、
２５  通孔、              ２６  ネジ、
２７  ネジ、              ２８  係合孔、
２９  係合孔、            ３０  中間脚、
３１  配線ダクト、        ３２  ビーム、
３３  受板、              ３４  垂直部、
３５  水平部、            ３６  ビーム連結部、
３７  Ｕ字溝、            ３８  連結孔、
３９  ダボ、              ４０  通孔、
４１  下穴、              ４２  取付孔、
４３  ネジ、              ４４  脚杆、
４５  コーナー脚部材、    ４６  嵌合部、
４７  キャップ部、        ４８  脚フレーム、
４９  短辺側フレーム、    ５０  長辺側フレーム、
５１  基板、              ５２  固定板、
５３  支持板、            ５４  連結板、
５５  ダルマ孔、          ５６  取付孔、
５７  連結孔、            ５８  側板、
５９  取付板、            ６０  通孔、
６１  ダクト開口部、      ６２  カバー、
６３  吊支部材。
【図１】
2019063254.tif 000003
【図２】
2019063254.tif 000004
【図３】
2019063254.tif 000005
【図４】
2019063254.tif 000006
【図５】
2019063254.tif 000007
【図６】
2019063254.tif 000008
【図７】
2019063254.tif 000009
【図８】
2019063254.tif 000010
【図９】
2019063254.tif 000011
【図１０】
2019063254.tif 000012
【図１１】
2019063254.tif 000013
【図１２】
2019063254.tif 000014
【図１３】
2019063254.tif 000015
【図１４】
2019063254.tif 000016
【図１５】
2019063254.tif 000017
【図１６】
2019063254.tif 000018